(57)【要約】【課題】種々の根掛かりに対して、簡易な構成及び操作で滞留するルアーへのアプローチを可能とし、回収率の向上を図る。【解決手段】水中に滞留したルアーＬＵを回収する動力式ルアー回収装置１であって、先細りの中空容器１０と、中空容器１０に内蔵され、当該中空容器１０の水中での推進を可能とする駆動源１２とを備え、中空容器１０には、その先端に突設され、回収チェーンＣＨを着脱可能とするチェーン着脱部ＤＰと、その底面に、釣糸Ｓが挿通されて当該釣糸Ｓに沿った移動を可能とするガイド部ＧＰと、その後端に、回収ラインＬが取り付けられるライン接続部ＬＰが設けられており、駆動源１２を駆動しない状態で、かつ、回収チェーンＣＨを接続した状態で、中空容器１０が水面に浮くように、中空容器１０内に中空空間が設定形成されている。【選択図】図１
2019010049.tif 000002
【特許請求の範囲】
【請求項１】
根掛かり等で水中に滞留したルアーを回収するルアー回収装置であって、
先細り形状の中空容器と、
前記中空容器に内蔵され、当該中空容器の水中での推進を可能とする駆動源と
を備え、
前記中空容器には、その先端に突設され、回収チェーンを着脱可能とするチェーン着脱部と、その底面に、釣糸が挿通されて当該釣糸に沿った移動を案内するガイド部と、その後端に、回収ラインが取り付けられるライン接続部が設けられており、前記駆動源を駆動しない状態で、かつ、前記回収チェーンを接続した状態で、前記中空容器が水面に浮くように、前記中空容器内に中空空間が設定形成されていることを特徴とする動力式ルアー回収装置。
【請求項２】
前記中空容器には、その姿勢を安定させると共に、浮力を生じさせる一対の安定翼が設けられていることを特徴とする請求項１に記載の動力式ルアー回収装置。
【請求項３】
前記チェーン着脱部は、前記中空容器の先端にて、伸縮自在に突出形成されており、前記回収チェーンを装着した際に、当該回収チェーンが前記ルアーの略中央部上方に位置するように、前記チェーン着脱部と前記ガイド部との離隔距離が設定されていることを特徴とする請求項１又は２に記載の動力式ルアー回収装置。
【請求項４】
請求項１ないし３のいずれかに記載の動力式ルアー回収装置を用い、
前記回収チェーンを装着しない状態で、かつ、釣糸を弛ませた状態で、前記動力式ルアー回収装置を駆動して水中を推進させて、前記ルアーに対して沖側の張力を発生させた後、前記回収用ラインを引っ張って、前記ルアーの回収を図る第一のモードにて前記ルアーの回収を行うことを特徴とするルアー回収方法。
【請求項５】
前記第一のモードにて前記ルアーが回収できない場合、さらに前記回収チェーンを装着して、前記釣糸を張った状態で、前記動力式ルアー回収装置を駆動して水中を推進させて、前記ルアーに対して上方に配置された回収チェーンにて前記ルアーの回収を図る第二のモードにて前記ルアーの回収を行うことを特徴とする請求項４に記載のルアー回収方法。
【発明の詳細な説明】
【技術分野】
【０００１】
本発明は、水中の障害物や沈殿物に引っ掛かったルアー（疑似餌）等を回収するための動力式ルアー回収装置及びルアー回収方法に関するものである。
【背景技術】
【０００２】
従来、ルアー（疑似餌）を用いるルアーフィッシングにおいては、水中の岩や消波ブロックなどの障害物や沈殿物にルアーが引っ掛かって、いわゆる根掛かりが生じる場合がある。このような根掛かりが生じた場合には、釣糸を引っ張っただけでは上記根掛かりを解消させることができず、止むを得ず釣糸を切断して高価な釣り用の仕掛けやルアーを水中に廃棄するケースが生じていた。加えて、水中に残されるルアー等が自然環境に悪影響を及ぼすといった問題も懸念されていた。そこで、このような根掛かりを解消してルアーを回収する装置が種々提案されている（例えば、特許文献１，２参照）。
【０００３】
ここで、特許文献１には、釣り用タモの柄や棒の先端がカギバリ状になった伸縮自在なギャフの柄に装着し、Ｊ字形状の冶具、これを固定する台座、柄と接続するための接続部等を備えた回収器が開示されている。
【０００４】
また、特許文献２には、回収不能となった浮きやルアーに向かって投てきし、円錐形の基体、棒状の軸材や放射状に配置形成された複数の骨材、枝材等を備えたルアー回収具が開示されている。
【先行技術文献】
【特許文献】
【０００５】
【特許文献１】特開２０１５−１９８５８４号公報
【特許文献２】特開２０１５−６５８６６号公報
【発明の概要】
【発明が解決しようとする課題】
【０００６】
しかしながら、例えば、特許文献１に記載された先行技術では、棒が届かない場所で生じた根掛かりには適用できず、また、棒を伸長させて長尺棒として使用する場合には、先端部の位置合わせの操作性が非常に悪いといった問題が生じていた。
【０００７】
また、特許文献２に開示された先行技術では、的確な投てき操作にある程度の熟練を要し、簡易な回収が困難であるといった問題が生じていた。
【０００８】
さらに、上記先行技術文献で開示された先行技術ではいずれも、単一の所定の方向にて滞留するルアーにアプローチするため、ルアー回収操作の途中で藻等の障害物に引っ掛かる更なる根掛かり（二次的根掛かり）については、対応が困難であるといった問題が生じていた。
【０００９】
そこで、本発明は上述のような従来技術の問題点に鑑みてなされたものであり、種々の根掛かりや比較的遠方で発生した根掛かりに対して、簡易な構成及び操作で滞留するルアーへのアプローチを可能とし、回収率の向上を図ることができる動力式ルアー回収装置及びこれを用いたルアー回収方法を簡易な構成で安価に提供することを目的とする。
【課題を解決するための手段】
【００１０】
上記目的を達成するために、本発明に係る動力式ルアー回収装置は、根掛かり等で水中に滞留したルアーを回収するルアー回収装置であって、先細り形状の中空容器と、前記中空容器に内蔵され、当該中空容器の水中での推進を可能とする駆動源とを備え、前記中空容器には、その先端に突設され、回収チェーンを着脱可能とするチェーン着脱部と、その底面に、釣糸が挿通されて当該釣糸に沿った移動を案内するガイド部と、その後端に、回収ラインが取り付けられるライン接続部が設けられており、前記駆動源を駆動しない状態で、かつ、前記回収チェーンを接続した状態で、前記中空容器が水面に浮くように、前記中空容器内に中空空間が設定形成されていることを特徴とするものである。
【００１１】
このように構成した場合には、種々の根掛かり（岩や消波ブロック等の障害物に挟み込まれた根掛かり、絡み具合が軽度の根掛かり、絡み具合が重度の根掛かり、回収操作中の二次的根掛かり等）が生じたルアーに対して、動力や浮力を利用した単一の装置にて対応可能となり、滞留ルアーの回収率の大幅な向上を簡易な構成にて実現することができる。
【００１２】
また、前記中空容器には、その姿勢を安定させると共に、浮力を生じさせる一対の安定翼が設けられていてもよい。
【００１３】
このように構成した場合には、ルアーが根掛かりした場所に、安定した姿勢で動力式ルアー回収装置を到達させることができる。
【００１４】
さらに、前記チェーン着脱部は、前記中空容器の先端にて、伸縮自在に突出形成されており、前記回収チェーンを装着した際に、当該回収チェーンが前記ルアーの略中央部上方に位置するように、前記チェーン着脱部と前記ガイド部との離隔距離が設定されていてもよい。
【００１５】
このように構成した場合には、滞留ルアーに対して上方からのアプローチを可能として、チェーンによりルアーを絡めやすくし、回収チェーンによる回収をより効果的に行うことができる。
【００１６】
本発明に係るルアー回収方法は、上記いずれかに記載の動力式ルアー回収装置を用い、前記回収チェーンを装着しない状態で、かつ、釣糸を弛ませた状態で、前記動力式ルアー回収装置を駆動して水中を推進させて、前記ルアーに対して沖側の張力を発生させた後、前記回収用ラインを引っ張って、前記ルアーの回収を図る第一のモードにて前記ルアーの回収を行うことを特徴とするものである。
【００１７】
このように構成した場合には、沖側から岸側に向かって挟み込まれたルアーや軽度の根掛かりによるルアーに対して効果的な回収を図ることができる。
【００１８】
また、前記第一のモードにて前記ルアーが回収できない場合、さらに前記回収チェーンを装着して、前記釣糸を張った状態で、前記動力式ルアー回収装置を駆動して水中を推進させて、前記ルアーに対して上方に配置された回収チェーンにて前記ルアーの回収を図る第二のモードにて前記ルアーの回収を行うことができる。
【００１９】
このように構成した場合には、重度の根掛かりや二次的根掛かりによるルアーに対しても複数のモードでアプローチすることにより、ルアー回収率を大幅にアップさせることができる。
【発明の効果】
【００２０】
本発明に係る動力式ルアー回収装置及び回収方法によれば、種々の根掛かりや比較的遠方に発生した根掛かりに対して、単一の装置及び簡易な操作にて滞留するルアーへのアプローチを可能とし、回収率の向上を実現することができる。
【図面の簡単な説明】
【００２１】
【図１】本発明の一実施形態に係る回収装置の構成を示す模式図である。
【図２】本発明の一実施形態に係る回収装置の構成を模式的に示す斜視図である。
【図３】本発明の一実施形態に係る回収装置を用いた第一のモードでの操作方法を示す模式図であり、（ａ）はルアーに対して沖側の張力を発生させる状態を示す模式図、（ｂ）はルアーが沖側から岸側に向かって岩等の障害物に挟まれた根掛かりの状態を示す模式図である。
【図４】本発明の一実施形態に係る回収装置を用いた第二のモードでの操作方法を示す模式図である。
【発明を実施するための形態】
【００２２】
以下に、本発明に係る動力式ルアー回収装置及び回収方法の一実施形態について、図面を参照して説明する。ここで、図１、図２は、本実施形態に係る回収装置の構成を示す模式図である。
【００２３】
図１及び図２に模式的に示すように、本実施形態に係る動力式ルアー回収装置１は、防水加工を施した砲弾型の中空容器１０を備え、当該中空容器１０内に、バッテリー１２Ｂやモーター１２Ｍ等の駆動源１２が内蔵されている。
【００２４】
本実施の形態では、水中を推進する際の抵抗を低減するという観点から、砲弾型の中空容器１０を採用しているが、水中抵抗を低減できるような先細りの形状であれば差し支えなく、円錐形状、紡錘形状等適宜任意の形状を採用することができる。
【００２５】
また、材質としては、ポリエチレン、ポリ塩化ビニ−ル、ポリカーボネ−ト等の合成樹脂でもよいし、アルミ、チタン、ステンレス等の金属でもよいし、両者の組み合せでもよい。さらに、夜間での視認性を向上させるために、例えば、蓄光性を有する合成樹脂にて形成してもよいし、蛍光塗料を塗布してもよい。また、本実施の形態では、バッテリー１２Ｂを内蔵しているので、当然に、ＬＥＤ等の照明器具を別途装着してもよい。
【００２６】
本実施の形態において、中空容器１０の上表面には、モーター１２Ｍ等の駆動源１２のオン／オフを行うスイッチ１４が設けられている。また、その後方の左右側面には、砲弾型中空容器１０の姿勢を安定（回転防止）させると共に、浮力を生じさせる一対の安定翼（回転防止翼）１６が設けられている。この安定翼１６は、浮力を促進させるという観点からは、中空容器１０の軸方向に対して、０°（軸線と平行）〜１５°（後方から前方に向かって上向き）の傾斜を設けることが好ましい。
【００２７】
さらに、中空容器１０の底部には、釣り糸を通す貫通孔を有するリング状のガイド部ＧＰが前部及び後部に突設されている。なお、安定翼１６により姿勢を維持できる場合には、ガイド孔は１箇所でも差し支えないが、より安定的に動力式ルアー回収装置１を釣糸に沿って推進させるためには、複数個所（本例では、前方ガイド部ＧＰ１及び後方ガイド部ＧＰ２の前後２箇所）設けることが好ましい。
【００２８】
一方、中空容器１０の先端には、回収チェーンＣＨの着脱を可能とするリング状のチェーン着脱部ＤＰが突出形成されている。このチェーン着脱部ＤＰは、回収チェーンＣＨが取り付けられる貫通孔であるリング部ＤＰ１と、リング部ＤＰ１の軸方向の位置（突出位置）を変更可能とする、例えば不図示のネジ等により形成された伸縮部ＤＰ２とを有している。すなわち、本実施の形態では、回収チェーンＣＨの取り付け位置がチェーン着脱部ＤＰを伸縮させることにより、軸方向に調整可能となっている。
【００２９】
そして、本実施の形態では、動力式ルアー回収装置１が、釣糸Ｓに沿って水中を推進し、前方ガイド部ＧＰ１が釣糸Ｓの先端に到達（滞留するルアーＬＵに最近接）した際に、チェーン着脱部ＤＰに取り付けられた回収チェーンＣＨが、使用したルアー（滞留するルアー）ＬＵの略中央部上方（側面視）に位置するように、予め前方ガイド部ＧＰ１とチェーン着脱部ＤＰとの離隔距離ｄが設定されている。
【００３０】
これにより、動力式ルアー回収装置１が釣糸Ｓの先端に到達した際に、滞留するルアーＬＵに対し、回収チェーンＣＨが当該滞留ルアーＬＵの上方からアプローチすることとなり、ルアーＬＵの回収効率を向上させることができる。
【００３１】
また、中空容器１０の後方には、モーター１２Ｍと接続されたスクリューＳＣが設けられている。なお、本実施の形態において、スクリューＳＣは、中空容器１０の一部を後方に延在させて形成した４つ割りのスクリューカバーＳＣＣによって覆われている。このようにスクリューカバーＳＣＣを設けることにより、釣糸Ｓ、回収ラインＬ、スクリューＳＣ間の絡まりを未然に防止すると共に、スクリューカバーＳＣＣに切欠き（本例では４か所）を設けることにより、スクリューＳＣの前後に給排水の空間を確保し、推進効率の向上を図ることができる。
【００３２】
また、本実施の形態において、中空容器１０の容積は、駆動源１２等を内蔵した動力式ルアー回収装置１の自重に抗して浮力が発生（作用）するような（水面に浮くような）中空空間（浮力空間）が設定されている。より詳細には、駆動源１２を駆動しない状態で、かつ、回収チェーンＣＨを接続した状態で、中空容器１０が水面に浮くように、中空容器１０内の中空空間（浮力空間）が設定形成されている。なお、浮力を増大させるために、中空容器１０外表面に発砲コア等の浮力部材を適宜装着してもよい。
【００３３】
さらに、本実施の形態において、スクリューカバーＳＣＣの後端には、回収用の紐（以下、回収ラインと称する）Ｌが接続される貫通孔であるライン接続部ＬＰが設けられている。
【００３４】
次に、本実施の形態に係る動力式ルアー回収装置１を用いたルアー回収方法について、図面を参照して説明する。ここで、図３は第一のモードに関連した操作を示す模式図であり、図４は第二のモードに関連した操作を示す模式図である。
【００３５】
＜第一のモード＞
まず、動力式ルアー回収装置１のガイド部ＧＰの貫通孔に釣糸Ｓを通すと共に、回収ラインＬをライン接続部ＬＰの貫通孔に接続する。そして、釣糸Ｓに弛みを持たせた状態で動力式ルアー回収装置１を水中に入れ、スイッチ１４をオンにする。
【００３６】
動力式ルアー回収装置１は、弛みを持たせた釣糸Ｓに沿って、かつ、浮力を受けながら水中を進むことにより、図３（ａ）に模式的に示すように、ルアーＬＵの滞留位置を超えて沖側に進み、水中に滞留するルアーＬＵの滞留位置を超えた時点で、当該ルアーＬＵを沖側（ルアーＬＵから見て釣人と反対方向）に引っ張る張力を発生させることとなる。
【００３７】
一般に、釣糸Ｓの投てき後、釣糸Ｓ先端のルアーＬＵは沖側から岸側（釣人側）に向かって引き寄せられるため、図３（ｂ）に模式的に示すように、岩等の障害物の隙間に沖側から引っ掛かる（根掛りする）ことが多い。そこで、ルアーＬＵに対して、沖側に引っ張るような張力を付与することにより、沖側から岸側に向かって挟み込まれたルアーＬＵや軽度の根掛かりのルアーＬＵに対して、特別な技量を要することなく動力式ルアー回収装置１を単に駆動するという簡易な操作のみで効果的にルアーＬＵの回収を図ることができる。
【００３８】
＜第二のモード＞
上記第一のモードにて、ルアーＬＵが回収できない場合には、回収ラインＬを引っ張って、一旦、動力式ルアー回収装置１を回収し、チェーン着脱部ＤＰに回収チェーンＣＨを装着する。その際、チェーン着脱部ＤＰの伸縮位置は、回収チェーンＣＨが滞留するルアーＬＵの中心部近傍（中心部上方）となるように、使用したルアーＬＵの大きさ（長さ）に応じて、チェーン着脱部ＤＰと前方ガイド部ＧＰ１との離隔距離ｄを予め設定しておく。その後、動力式ルアー回収装置１を再度水中に入れて、釣糸Ｓの先端に向けて駆動する。
【００３９】
その際、図４に模式的に示すように、釣糸Ｓは軽く張った状態（直線状の状態）にして、動力式ルアー回収装置１の前方ガイド部ＧＰ１が確実に釣糸Ｓ先端に到達（滞留ルアーＬＵに最近接）するように誘導し、その後、滞留ルアーＬＵの上方から回収チェーンＣＨを絡めて回収ラインＬを引くことにより、滞留ルアーＬＵを引き上げながら当該ルアーＬＵの回収を図る。
【００４０】
以上、本実施の形態に係る動力式ルアー回収装置及びルアー回収方法によれば、種々の根掛かり（例えば、岩や消波ブロック等の障害物に挟み込まれた根掛かり、絡み具合が軽度の根掛かり、絡み具合が重度の根掛かり、回収操作中の二次的根掛かり等）や比較的遠方で発生した根掛かりに対しても単一の装置にて対応が可能となり、滞留ルアーＬＵの回収率の大幅な向上を簡易な構成及び操作にて実現することができる。
【００４１】
なお、本発明の技術的範囲は上述した各実施の形態に限定されるものではなく、本発明の要旨に逸脱しない範囲において多様な変更もしくは改良を加え得るものである。例えば、本発明に係る動力式ルアー回収装置及び回収方法は、ルアーＬＵのみならず水中に滞留したエギ等に対しても当然に適用することができる。また、第一のモード及び第二のモードでの回収方法は、それぞれ単独で実施しても良いし、交互に繰り返し行っても良い。
【符号の説明】
【００４２】
１        動力式ルアー回収装置
１０      中空容器
１２      駆動源
１２Ｂ    バッテリー
１２Ｍ    モーター
１４      スイッチ
１６      安定翼
ＣＨ      回収チェーン
ＤＰ      チェーン着脱部
ＤＰ１    リング部
ＤＰ２    伸縮部
ＧＰ      ガイド部
ＧＰ１    前方ガイド部
ＧＰ２    後方ガイド部
Ｌ        回収ライン
ＬＰ      ライン接続部
ＬＵ      ルアー
Ｓ        釣糸
ＳＣ      スクリュー
ＳＣＣ    スクリューカバー
ｄ        離隔距離
【図１】
2019010049.tif 000003
【図２】
2019010049.tif 000004
【図３】
2019010049.tif 000005
【図４】
2019010049.tif 000006